(57)【要約】【課題】十分な剛性を持つ筐体装置を提供する。【解決手段】複数箇所においてそれぞれ所定の角度に折り曲げて成形された折り曲げ部分５および同じく所定の角度に折り曲げて成形されて、折り曲げ部分５に重なる折り曲げ部分７を有する筐体１と、複数箇所においてそれぞれ折り曲げ部分７に重なる部分を有し、その部分が折り曲げ部分７および折り曲げ部５にネジ３により固定されている底板２とを備えたものである。【選択図】        図３
2004253553.tif 000002
【特許請求の範囲】
【請求項１】
所定の板状材料を加工してそれぞれ成形された複数の部材の組み合わせによって画定される領域に物体を収納する筐体装置において、
複数箇所においてそれぞれ所定の角度に折り曲げて成形された第１の部分および同じ角度に折り曲げて成形されて前記第１の部分に重なる第２の部分を有する第１の部材と、
前記複数箇所におけるそれぞれの重なり部に重なる第３の部分を有しその第３の部分が該重なり部に固定されている第２の部材と
を備えたことを特徴とする筐体装置。
【請求項２】
複数箇所における第１の部分、第２の部分、および第３の部分は、一方向からの加工工程によって固定されていることを特徴とする請求項１記載の筐体装置。
【請求項３】
第１の部分、第２の部分、および第３の部分は、それぞれの部分に設けられた孔を貫通して共締めされたネジ部材によって固定されていることを特徴とする請求項２記載の筐体装置。
【請求項４】
第１の部分、第２の部分、および第３の部分は、それぞれの部分に設けられた孔を貫通し当該孔の方向に両端が圧着加工された棒部材によって固定されていることを特徴とする請求項２記載の筐体装置。
【請求項５】
第１の部分、第２の部分、および第３の部分は、溶接加工によって固定されていることを特徴とする請求項２記載の筐体装置。
【請求項６】
第１の部分および第２の部分の少なくとも一方は、所定の角度に折り曲げて成形されたリブ部分の一部として成形されていることを特徴とする請求項１記載の筐体装置。
【発明の詳細な説明】
【０００１】
【発明の属する技術分野】
この発明は、物体を収納する筐体装置に関するものである。
【０００２】
【従来の技術】
物体を収納する筐体装置の一例として、車載用音響装置などに使用する電子機器用の筐体装置がある。従来の筐体装置においては、金属板を箱型に加工した筐体に、ラジオ受信回路やカセットデッキなどの機構を収納して、底面板で蓋をする構造になっている。このため、筐体および底面板の複数の箇所をほぼ直角に折曲げて取付部を形成し、各取付部にネジ孔を設けている（特許文献１参照）。
【０００３】
【特許文献１】
特開平５−６３３７７号公報（図３）
【０００４】
【発明が解決しようとする課題】
しかしながら、上記従来の筐体装置においては、筐体に形成された取付部と底面板に形成された折曲片とがビスで固定されるだけであるので、筐体装置の剛性が十分には得られなかった。特に、車載用音響装置などにおいては、激しい振動に耐えるだけの剛性が要求される。この対策として、筐体装置を構成する部材（特許文献１においては筐体に相当するもの）の所定箇所を折り曲げてビス止めする方法が考えられる。
【０００５】
図５および図６は、筐体装置の剛性を向上するための従来例を示す図である。図５（ａ）、（ｂ）、（ｃ）および（ｄ）は、それぞれ筐体１１の一部の左側面図、平面図、右側面図、上面図である。これらの図に示すように、筐体１１は板金の打ち抜き加工および曲げ加工によって、４方向に立ち起こし部分のある箱型の構造になっている。また、図５（ｄ）に示すように、筐体１１には底板１２がネジ１３で取り付けられる。このために、筐体１１には折り曲げ部分１４が形成され、折り曲げ部分１４のタップ孔１５にネジ１３が固定される構造になっている。そして、筐体１１の剛性を向上するために、別の箇所に折り曲げ部分１６が形成され、その折り曲げ部分１６の上面に筐体１１の立ち起こし部分１８が重なっている。そして、立ち起こし部分１８が折り曲げ部分１６のタップ孔１７にネジ１９で固定される構造になっている。
【０００６】
図６（ａ）、（ｂ）、（ｃ）および（ｄ）は、それぞれ筐体１１の一部の左側面図、平面図、右側面図、上面図である。そして、図５の場合と同様に、筐体１１は板金の打ち抜き加工および曲げ加工によって、４方向に立ち起こし部分のある箱型の構造になっている。ただし、図６の例では立ち起こし部分１８と折り曲げ部分１６とがバーリングカシメによって固定される構造になっている。その他の構造については図５の例と同じである。
【０００７】
図５および図６に示した例においても、剛性が不十分な場合がある。例えば、頻繁に振動を受ける箇所に設置された場合には、筐体１１の折り曲げ部分１４に底板１２を固定しただけでは、十分な剛性は得られないという課題がある。
また、図５に示した例においては、底板１２を固定するためのネジ１３の取り付け工程の方向とネジ１９の取り付け工程の方向とが異なるため、別々の作業工程でネジの取り付けを行なう必要があり、製造コストが高くなるという課題がある。図６に示した例においてもネジ取り付け工程とバーリングカシメ工程とが別々の作業工程になるので、同様に製造コストが高くなるという課題もある。
【０００８】
この発明は上記のような課題を解決するためになされたもので、十分な剛性を持つ筐体装置を得ることを目的とする。
また、作業工程を少なくすることで低い製造コストの筐体装置を得ることを目的とする。
【０００９】
【課題を解決するための手段】
この発明に係る筐体装置は、複数箇所においてそれぞれ所定の角度に折り曲げて成形された第１の部分および同じ角度に折り曲げて成形されて第１の部分に重なる第２の部分を有する第１の部材と、前記複数箇所におけるそれぞれの重なり部に重なる第３の部分を有しその第３の部分が該重なり部に固定されている第２の部材とを備えたものである。
【００１０】
【発明の実施の形態】
以下、この発明の一実施の形態の構成について、図を参照しながら説明する。実施の形態１．
図１は、この発明の筐体装置を適用した車載用のＤＶＤ（ディジタル・ビデオ・ディスク）装置の外観図である。ＤＶＤ装置の筐体装置は、所定の板金材料を加工して形成された筐体１および底板２の組み合わせによって画定される領域に、メカ機構部や電子回路を収納するように構成されている。図２は、図１のＤＶＤ装置を底板２側から見た概観図である。底板２の４つの角に形成された孔およびこれらの孔の位置に対応して筐体１に形成されたタップ孔（図示せず）にネジ３が取り付けられて、筐体１に底板２が固定される。
【００１１】
図３は、図１および図２のＤＶＤ装置に適用した実施の形態１の筐体装置を簡略化した図である。図３（ａ）、（ｂ）、（ｃ）および（ｄ）は、それぞれ筐体１の一部の左側面図、平面図、右側面図、上面図である。これらの図に示すように、筐体１は４方向に立ち起こし部分のある箱型の構造になっている。また、図１（ｄ）に示すように、筐体１（第１の部材）には底板２（第２の部材）がネジ３（ネジ部材）で取り付けられる。このため、立ち起こし部分４の４箇所には折り曲げ部分５（第１の部分）が形成され、立ち起こし部分６の４箇所には、折り曲げ部分５の上面に重ねて折り曲げ部分７（第２の部分）が形成されている。そして、それぞれ重なる折り曲げ部分７および折り曲げ部分５の重なり部分のほぼ中央部には、タップ孔８が形成されている。すなわち、底板２、折り曲げ部分７、および折り曲げ部分５がネジ３によって共締めされて固定される。
【００１２】
以上のように、この実施の形態１によれば、筐体装置は、４箇所においてそれぞれ９０度の角度に折り曲げて成形された折り曲げ部分５および同じく９０度の角度に折り曲げて成形されて、折り曲げ部分５の上面に重なる折り曲げ部分７を有する筐体１と、４箇所においてそれぞれ折り曲げ部分７の上面に重なる部分を有し、その部分が折り曲げ部分７および折り曲げ部分５にネジ３により固定されている底板２とを備えた構成になっている。したがって、立ち起こし部分４および立ち起こし部分６同士がネジ３で固定されることにより、十分な剛性を持つという効果がある。
さらに、４箇所における折り曲げ部分５、折り曲げ部分７、および対応する底板２の部分は、一方向からの加工工程によってネジ３で固定されているので、作業工程を少なくすることで製造コストを低くできるという効果がある。
【００１３】
この実施の形態１においては、折り曲げ部分５、折り曲げ部分７、および対応する底板２の部分は、それぞれの部分に設けられた孔を貫通して共締めされたネジ３によって固定されている構成にしたが、固定する手段はネジに限定するものではない。それぞれの部分に設けられた孔を貫通し、その孔の方向に両端が圧着加工された棒部材によって固定される構成でもよい。あるいは、折り曲げ部分５、折り曲げ部分７、および対応する底板２の部分は、溶接加工によって固定される構成でもよい。
【００１４】
実施の形態２．
図４は、ＤＶＤ装置に適用した実施の形態２の筐体装置を簡略化した図である。図４（ａ）、（ｂ）、（ｃ）および（ｄ）は、それぞれ筐体１の一部の左側面図、平面図、右側面図、上面図である。図４において、図３に示した実施の形態１の構成と同じものは同一の符号で示し、その説明は省略する。筐体１の立ち起こし部分４には、補強用の折り曲げ部であるリブ部分９が形成され、折り曲げ部分５がリブ部分９の一部として成形されている。また、筐体１の立ち起こし部分６には、補強用の折り曲げ部であるリブ部分１０が形成され、折り曲げ部分７がリブ部分１０の一部として成形されている。
【００１５】
以上のように、この実施の形態２によれば、折り曲げ部分５および折り曲げ部分７は、９０度の角度に折り曲げて成形されたリブ部分９およびリブ部分１０の一部として成形されているので、よりいっそう十分な剛性を持つという効果がある。しかも、リブ部分９およびリブ部分１０を形成するために、新たな工程を追加する必要がないので、実施の形態１と同じ低い製造コストを維持できる。
実施の形態２では、立ち起こし部分４および６の両方にリブ部分９および１０を形成したが、いずれか一方の立ち起こし部分にリブ部分を形成する構成でもよい。
【００１６】
なお、上記各実施の形態においては、筐体１の４箇所に折り曲げ部分を形成する構成にしたが、４箇所に限定するものではない。必要な剛性と製造コストとのトレードオフに応じて、２箇所以上の複数箇所に折り曲げ部分を形成すればよい。
【００１７】
また、上記各実施の形態においては、ＤＶＤ装置に用いる筐体装置について説明したが、この筐体装置を用いて物体収納方法の発明を実現することもできる。すなわち、上記各実施の形態によれば、筐体１内にメカ機構部や電子回路を収納する方向と、これらを収納した後に底板２を固定するためにネジ３を締め付ける方向とが同じであるので、ＤＶＤ装置を組み立てる作業工程を少なくすることにより、製造コストを低減する効果がある。この場合の物体収納方法の発明は、下記のような構成になる。
【００１８】
所定の板状材料を加工してそれぞれ成形された複数の部材からなる筐体装置に物体を収納する物体収納方法であって、複数箇所においてそれぞれ所定の角度に折り曲げて成形された第１の部分および角度に折り曲げて成形されて第１の部分の上面に重なる第２の部分を有する第１の部材で画定される領域内に所定の方向から物体を組み込む第１の工程と、複数箇所においてそれぞれ第２の部分の上面に重なる第３の部分を有する第２の部材を第１の部分、第２の部分、および第３の部分において同じ所定の方向から固定して第１の部材内に組み込まれている物体を遮蔽する第２の工程とを含むものである。
【００１９】
上記各実施の形態においては、車載用のＤＶＤ装置に用いる筐体装置について説明したが、この発明による筐体装置の適用範囲はＤＶＤ装置に限定されない。車載ナビゲーション装置、車載用のオーディオ装置、および他の車載用の装置にも適用できるし、車載用以外の移動体、例えば、航空機や船舶などに搭載する装置にも適用できる。あるいは、動作に振動を伴うような動力機械や建築機械などに搭載する装置にも適用できる。あるいは、振動しない装置にも適用することで、剛性の向上によってより薄い材料を使用することが可能になるので、コストダウンを図ることができる。
【００２０】
【発明の効果】
以上のように、この発明によれば、筐体装置を、複数箇所においてそれぞれ所定の角度に折り曲げて成形された第１の部分および同じ角度に折り曲げて成形されて第１の部分に重なる第２の部分を有する第１の部材と、前記複数箇所におけるそれぞれの重なり部に重なる第３の部分を有しその第３の部分が該重なり部に固定されている第２の部材とを備えた構成にしたので、十分な剛性を持つという効果があるとともに、作業工程を少なくすることで製造コストを低くできるという効果がある。
【図面の簡単な説明】
【図１】この発明の筐体装置を適用した車載用のＤＶＤ装置の外観図である。
【図２】図１のＤＶＤ装置を底板側から見た概観図である。
【図３】ＤＶＤ装置に適用した実施の形態１の筐体装置を簡略化した図である。
【図４】ＤＶＤ装置に適用した実施の形態２の筐体装置を簡略化した図である。
【図５】従来の筐体装置を示す概略図である。
【図６】従来の筐体装置を示す概略図である。
【符号の説明】
１  筐体（第１の部材）、２  底板（第２の部材）、３  ネジ（ネジ部材）、４  立ち起こし部分、５  折り曲げ部分（第１の部分）、６  立ち起こし部分、７  折り曲げ部分（第２の部分）、８  タップ孔、９，１０  リブ部分。
【図１】
2004253553.tif 000003
【図２】
2004253553.tif 000004
【図３】
2004253553.tif 000005
【図４】
2004253553.tif 000006
【図５】
2004253553.tif 000007
【図６】
2004253553.tif 000008